(57)【特許請求の範囲】
【請求項１】
定着部の下流側に配置される第１及び第２搬送ローラ対と，
前記第１搬送ローラ対を通過した用紙を用紙排出部に搬送する第１搬送路と，
該第１搬送路を逆送され前記第２搬送ローラ対を通過した用紙を画像形成部に再搬送する第２搬送路と，を備えた用紙搬送機構において，
前記第２搬送ローラ対を構成する２本のローラが略水平に圧接されており，少なくとも一方のローラの外周面には深さが０．１ｍｍ〜０．３ｍｍ，幅が０．１ｍｍ〜０．３ｍｍの軸方向の溝部が形成されることを特徴とする用紙搬送機構。
【請求項２】
前記第１搬送ローラ対は，用紙送りローラ及び該用紙送りローラに圧接される第１ピンチローラにより構成され，前記第２搬送ローラ対は，前記用紙送りローラ及び該用紙送りローラに前記第１ピンチローラと異なる接点で略水平に圧接される第２ピンチローラにより構成される請求項１に記載の用紙搬送機構。
【請求項３】
請求項１又は請求項２に記載の用紙搬送機構を備えた画像形成装置。
【発明の詳細な説明】
【技術分野】
【０００１】
本発明は，複写機，プリンタ等の画像形成装置の，定着部下流側に用いられる用紙搬送機構に関し，特に，両面印刷時に使用するローラ表面の結露による水滴を除去することが出来る用紙搬送機構，或いはこれを備えた画像形成装置に関する。
【背景技術】
【０００２】
従来，複写機，プリンタ等の電子写真方式を用いた画像形成装置においては，用紙の片面に画像を形成した後，その用紙を排出せずに再度画像形成部に搬送し，他方の面にも画像を形成する両面印刷方式のものが広く用いられている。このような両面印刷方式の画像形成装置においては，片面に画像が形成された用紙を反転させる反転機構（スイッチバック装置）と，反転した用紙を画像形成部へ再搬送する再搬送機構とを備えている。
【０００３】
従来の画像形成装置においては，使用環境が低温であり，装置本体が冷えている状態から印刷を行う（コールドスタート）場合，或いは装置冷却用のファンが吸い込み式であり，装置外部の冷たい空気が装置内部に流入する場合に，定着部の熱により加熱された用紙の水分が定着部下流側で上記ファンなどによって冷やされた搬送ローラ対等に結露となって付着することがあった。当然ながらこの結露は，定着部を通過する用紙の枚数が多くなるほど発生し易くなる。
【０００４】
特に，搬送ローラ対を構成する用紙送りローラとピンチローラとが略水平に配置されている場合，上記結露による水分の逃げ場がないため，用紙送りローラとピンチローラのニップ部に水滴が溜まる場合がある。この状態で用紙がニップ部を通過すると，上記ローラのニップ部にたまった水滴が用紙表面に付着し，用紙搬送方向にわずかな水の筋が形成される。
【０００５】
もっとも用紙の片面のみに印刷を行う場合は，用紙はそのまま装置外部に排出されるため，上記のように水の筋があっても特に問題はないが，両面印刷を行う場合は，用紙の一部が筋状に濡れた状態で画像形成部に再搬送されるため，上記濡れた部分について画像流れや黒スジ等の画像不良が発生するという問題点があった。
【０００６】
そこで，結露による定着部下流側の搬送ローラ対への水滴付着を防止する方法が種々提案されており，例えば特許文献１には，両面印刷モード時に使用する第２の用紙搬送路内の用紙搬送ローラを片面印刷モード時に空転させておくことにより，用紙搬送ローラの周囲に気層を形成して定着部からの水蒸気を遮断する用紙搬送装置が開示されている。
【０００７】
また，特許文献２には，用紙搬送ローラの金属シャフトから落下する水滴受け部材を設置した用紙搬送装置が開示されている。さらに特許文献３には，定着装置下流側の用紙搬送ローラ，及び定着装置と用紙搬送ローラとの間に配置されたガイド部材に吸水シート等の水滴付着防止手段を設けた画像形成装置が開示されている。
【０００８】
しかしながら，特許文献１の方法では，両面印刷を行わない場合にも第２の用紙搬送路内の用紙搬送ローラを空転させておく必要があるため消費電力が増加し，装置のランニングコストが高くなる。また，温度センサや湿度センサの測定値に基づいて用紙搬送ローラの空転を制御する方法も記載されているが，制御機構が複雑になるとともに高価な温度センサや湿度センサを用いるためコスト面でも不利となる。
【０００９】
また，特許文献２の方法では，用紙搬送ローラのシャフトから用紙への水滴の落下は防止できるものの，ローラ表面に付着した水滴を直接除去するものではないため，ローラ表面から用紙への水滴の移行防止対策として効果的ではなかった。また，特許文献３の方法では，用紙搬送ローラに吸水シート等を巻き付けるため部品点数が多くなる上，ローラ表面の摩擦係数が変化して用紙の搬送に影響を及ぼすおそれがあった。さらに，結露により発生した水滴量が吸水シートの吸水量を超えた場合は画像不良が発生してしまう。
【特許文献１】特開２００５−２７４８３５号公報
【特許文献２】特開２００３−１４６５１４号公報
【特許文献３】特開平９−２０４１１２号公報
【発明の開示】
【発明が解決しようとする課題】
【００１０】
本発明は，上記問題点に鑑み，結露により両面印刷時に用いる定着部下流側の搬送ローラ対のニップ部に溜まる水滴を簡易な構成で除去可能な用紙搬送機構及びそれを備えた画像形成装置を提供することを課題とする。
本発明においては，水滴を除去するためにローラ表面上に溝部を形成するものであるが，形成する溝部の方向としてローラの軸に直角の方向，即ちローラの円周方向とすることも，それより傾いた斜め方向とすることも，或いはローラの軸方向とすることも可能である。しかし，上記水滴除去用の溝部がローラの軸方向に形成された場合には，深さなどの溝部の形状によって騒音を発生する問題があり，水滴除去という問題と騒音防止という問題の両方を同時に解消する必要があり，この点も本発明の課題である。
【課題を解決するための手段】
【００１１】
上記ローラ表面上の水滴を除去するという課題を解決するために本出願の第１の発明は，定着部の下流側に配置される第１及び第２搬送ローラ対と，前記第１搬送ローラ対を通過した用紙を用紙排出部に搬送する第１搬送路と，該第１搬送路を逆送され前記第２搬送ローラ対を通過した用紙を画像形成部に再搬送する第２搬送路と，を備えた用紙搬送機構において，前記第２搬送ローラ対を構成する２本のローラが略水平に圧接されており，少なくとも一方のローラの外周面には周方向，或いは軸に斜め方向の溝部が形成されることを特徴としている。
【００１２】
また本発明における前記第１搬送ローラ対は，用紙送りローラ及び該用紙送りローラに圧接される第１ピンチローラにより構成され，前記第２搬送ローラ対は，前記用紙送りローラ及び該用紙送りローラに前記第１ピンチローラと異なる接点で略水平に圧接される第２ピンチローラにより構成されるものであってもよい。
また上記構成の用紙搬送機構において，前記溝部は，前記第２搬送ローラ対を構成するローラの外周面を１周以上にわたって形成されたものとすることができる。
【００１３】
またローラ表面上の水滴除去と共に騒音の発生も防止するという課題を解決するために，本出願の第２の発明は，前記定着部の下流側に配置される第１及び第２搬送ローラ対と，前記第１搬送ローラ対を通過した用紙を用紙排出部に搬送する第１搬送路と，該第１搬送路を逆送され前記第２搬送ローラ対を通過した用紙を画像形成部に再搬送する第２搬送路と，を備えた用紙搬送機構において，前記第２搬送ローラ対を構成する２本のローラが略水平に圧接されており，少なくとも一方のローラの外周面には深さが０．１〜０．３ｍｍの範囲，幅が０．１〜０．３ｍｍの範囲の軸方向の溝部が形成されてなることを特徴とする用紙搬送機構として構成されている。
この第２の発明においても，前記第１搬送ローラ対が，用紙送りローラ及び該用紙送りローラに圧接される第１ピンチローラにより構成され，前記第２搬送ローラ対が，前記用紙送りローラ及び該用紙送りローラに前記第１ピンチローラと異なる接点で略水平に圧接される第２ピンチローラにより構成されるようにしてもよい。
【００１４】
また上記第１及び第２のいずれの発明にかかる用紙搬送機構も，それを備えた画像形成装置として把握することができる。
【発明の効果】
【００１５】
本出願の第１及び第２のいずれの発明においても，第２搬送ローラ対のニップ部に溜まった水滴は溝部内に集められた後，ローラの回転によりローラ表面に分散されるか，或いは落下することにより消失するため，低温条件下で両面印刷を行った場合でも第２搬送ローラ対表面から用紙へ水滴が一度に移行することを効果的に抑制できる。
また第２の発明においては，その外周にローラ軸方向に形成された溝部が，深さが０．１〜０．３ｍｍ，幅が０．１〜０．３ｍｍであり，実験によればこの様な形状の溝部であれば，第1の発明と同様水滴を溝部内に収容することができるので，用紙へ水滴が一度に移行することを効果的に抑制できるという効果と，ローラの回転に伴って発生する騒音をも効果的に抑制することが出来るものである。
【００１６】
また，第１搬送ローラ対と第２搬送ローラ対の用紙送りローラを１つのローラで兼用すれば，部品点数の削減及び省スペース化が可能となる。
【００１７】
更に，第１の発明において，第２搬送ローラ対を構成するローラの外周面を１周以上するように溝部を連続して形成することにより，第２搬送ローラ対のニップ部に常に隙間が形成されるため，水滴を速やかに解消できる。
【００１８】
また，上記したような用紙搬送機構を備える画像形成装置では，結露によるローラ表面の水滴の発生を抑制して，両面印刷時における画像流れや黒スジ等の画像不良の発生を効果的に防止可能な画像形成装置を簡易な構成で提供することができる。
【発明を実施するための最良の形態】
【００１９】
以下に本発明の実施形態を図面を参照して説明する。図１は，本発明の第１実施形態に係る用紙搬送装置が搭載された画像形成装置の全体構成を示す側面断面図である。画像形成装置（例えばプリンタ）１００では，画像形成動作を行う場合，帯電ユニット４により図中時計回りに回転する感光体ドラム５が一様に帯電され，原稿画像データに基づく露光ユニット（レーザ走査ユニット等）７からのレーザビームにより感光体ドラム５上に静電潜像が形成され，現像ユニット８により静電潜像に現像剤（以下，トナーという）が付着されてトナー像が形成される。
【００２０】
この現像ユニット８へのトナーの供給はトナーコンテナ９から行われる。なお，画像データはパーソナルコンピュータ（図示せず）等から送信される。また，感光体ドラム５の表面の残留電荷を除去する除電装置（図示せず）がクリーニング装置１０の下流側に設けられている。
【００２１】
上記のようにトナー像が形成された感光体ドラム５に向けて，用紙が給紙カセット１１又は手差しトレイ１２から用紙搬送路１３及びレジストローラ対１４を経由して搬送され，転写ローラ１５（画像転写部）により感光体ドラム５の表面に形成されたトナー像が用紙に転写される。そして，トナー像が転写された用紙は感光体ドラム５から分離され，定着ローラ対１７を有する定着部１６に搬送されてトナー像が定着される。
【００２２】
定着部１６を通過した用紙は，用紙送りローラ１８と，用紙送りローラ１８に圧接される第１ピンチローラ１９ａ，第２ピンチローラ１９ｂから成る第１搬送ローラ対２０，第２搬送ローラ対２１によって搬送方向が振り分けられる。用紙の片面のみに画像を形成する場合は，第１搬送ローラ対２０により用紙搬送路２２に振り分けられ，正逆回転可能なフィードローラ対２３及び排出ローラ対２４を経て画像面を下向き（以下，フェイスダウンという）にして排出トレイ２５上に排出される。用紙搬送路２２，フィードローラ対２３及び排出ローラ対２４は，用紙の搬送方向を切り換えるスイッチバック装置としても機能する。
【００２３】
一方，用紙の両面に画像を形成する場合は，定着部１６を通過した用紙は第１搬送ローラ対２０によって一旦用紙搬送路２２に振り分けられる。そして，用紙の後端部が第１搬送ローラ対２０を通過した後，フィードローラ対２３及び排出ローラ対２４を逆回転させて搬送方向を切り換えた後，第２搬送ローラ対２１によって今度は両面記録路２６に振り分けられ，画像の形成されていない面を上に向けて感光体ドラム５や現像ユニット８等から成る画像形成部へ再搬送される。再搬送された用紙は，画像形成部で形成された次の画像が転写ローラ１５により転写され，定着部１６に搬送されてトナー像が定着された後，第１搬送ローラ対２０及び用紙搬送路２２を経由して排出ローラ対２４より排出トレイ２５上に排出される。
【００２４】
図２は，第１実施形態の用紙搬送機構（図１の定着部下流側）の部分拡大図である。図１と共通する部分には同一の符号を付して説明を省略する。用紙搬送機構は，反時計回りに回転する用紙送りローラ１８と，用紙送りローラ１８にそれぞれ異なる接点で圧接されて従動回転する第１ピンチローラ１９ａ及び第２ピンチローラ１９ｂと，用紙搬送路２２，及び両面記録路２６とを含む構成である。なお，用紙送りローラ１８及び第１，第２ピンチローラ１９ａ，１９ｂは，それぞれ用紙搬送方向と直交する方向（図２の紙面方向）に３個ずつ，所定の間隔を隔てて配置されている。
【００２５】
用紙送りローラ１８及び第１ピンチローラ１９ａは第１搬送ローラ対２０を構成し，用紙送りローラ１８及び第２ピンチローラ１９ｂは第２搬送ローラ対２１を構成する。本実施形態では，第１搬送ローラ対２０及び第２搬送ローラ対２１において用紙送りローラ１８を共用することにより，部品点数の削減及び省スペース化を図っている。第２ピンチローラ１９ｂの外周面には周方向の溝部３１が形成されている。
【００２６】
定着進入ガイド２７に沿って定着部１６に進入し，加熱ローラ１７ａ及び加圧ローラ１７ｂから成る定着ローラ対１７のニップ部を通過して未定着トナーが定着された用紙（図示せず）をそのまま排出する場合は，用紙は反時計回りに回転する用紙送りローラ１８及び時計回りに従動回転する第１ピンチローラ１９ａのニップ部を通過して用紙搬送路２２を上方へと進み，フィードローラ対２３及び排出ローラ対２４（いずれも図１参照）を経由して排出トレイ２５（図１参照）上へフェイスダウン状態で排出される。
【００２７】
また，両面印刷を行う場合は，用紙を第１搬送ローラ対２０から用紙搬送路２２方向に通過させ，フィードローラ対２３及び排出ローラ対２４で把持する。その後上記フィードローラ対２３及び排出ローラ対２４を逆転させて用紙の後端を第２搬送ローラ対２１に逆送する。用紙は反時計回りに回転する用紙送りローラ１８及び時計回りに従動回転する第２ピンチローラ１９ｂのニップ部を通過して両面記録路２６へ案内される。
【００２８】
図３は，第２ピンチローラ１９ｂの平面断面図及び側面図である。図３（ａ），（ｂ）に示すように，第２ピンチローラ１９ｂにはシャフト（回転軸）が挿入される貫通穴３０が形成され，軸方向の中央部には外周面を１周するように環状の溝部３１が形成されている。
【００２９】
図２に示したように，第２ピンチローラ１９ｂは用紙送りローラ１８に対し略水平に圧接されているため，第２搬送ローラ対２１のニップ部に結露による水滴が溜まり易くなっている。通常，定着部下流側に配置される用紙送りローラ１８としてはゴムローラが用いられ，用紙送りローラ１８に圧接される第１，第２ピンチローラ１９ａ，１９ｂとしてはトナー等が付着し難いテフロン（登録商標），シリコン系等の撥水性の樹脂材料が用いられる。そのため，結露によって第２ピンチローラ１９ｂに付着した水滴はローラ表面に広がりにくく，ローラが回転した場合でも分散することなく大きな水滴を形成し，用紙送りローラ１８とのニップ部上に溜まってしまう。
【００３０】
そこで，第２ピンチローラ１９ｂに溝部３１を形成しておくことにより，ローラ表面に付着した水滴は溝部３１内に集められた後，ローラの回転によりローラ表面に分散されたり，一部は水滴となって落下したりする。従って，低温条件下で両面印刷を行った場合でもローラ表面から用紙に水滴が一度に移行せず，画像流れや黒スジ等の画像不良の発生を効果的に防止することができる。
【００３１】
溝部３１の形状は，図３に示すような断面矩形状に限らず，例えば図４（ａ）に示す断面三角形状，或いは図４（ｂ）に示す断面円弧状等，任意の形状とすることができる。また，図３，図４では環状の溝部３１を第２ピンチローラ１９ｂの外周面中央部に１箇所形成したが，例えば図５（ａ）に示すように環状の溝部３１を軸方向の複数箇所に設けても良いし，図５（ｂ）に示すように溝部３１を第２ピンチローラ１９ｂの回転軸に対して傾け，螺旋状の溝部３１を設けても良い。このとき，第２ピンチローラ１９ｂの回転により変動する用紙送りローラ１８への圧接箇所に関係なく，常にニップ部に隙間を形成して水滴だまりを速やかに解消できるように，溝部３１が第２ピンチローラ１９ｂの外周面を１周以上するように連続して形成することが好ましい。
【００３２】
なお，ここでは第２ピンチローラ１９ｂの外周面に溝部３１を形成したが，用紙送りローラ１８の外周面に溝部３１を形成しても良いし，第２ピンチローラ１９ｂと用紙送りローラ１８の両方に形成しても良い。また，溝部３１の幅や深さ等は特に限定されるものではなく，ローラの大きさやローラに付着する水滴量等に応じて適宜設定すれば良い。
【００３３】
図６は，本実施形態の第２実施形態に係る用紙搬送機構の部分拡大図である。図６に示すように，第１搬送ローラ対２０を構成する第１用紙送りローラ１８ａと，第２搬送ローラ対を構成する第２用紙送りローラ１８ｂとが別個に設けられている。他の部分の構成や片面印刷及び両面印刷時の用紙搬送手順については第１実施形態の図２と同様であるため説明を省略する。
【００３４】
本実施形態においても，第２用紙送りローラ１８ｂに略水平に圧接される第２ピンチローラ１９ｂに溝部３１を形成しておくことにより，第１実施形態と同様にローラ表面に付着した水滴は溝部３１によってローラ表面に分散されるため，画像流れや黒スジ等の画像不良の発生を効果的に防止することができる。なお，溝部３１は第２用紙送りローラ１８ｂ側に形成しても良く，第２用紙送りローラ１８ｂと第２ピンチローラ１９ｂの両方に形成しても良い。また，溝部３１の幅や深さ等についても第１実施形態と同様に任意に設定可能である。
【００３５】
以上述べた実施形態では，ローラ表面に形成される溝部が，該ローラの回転軸に直角，即ちローラの円周方向或いはこれと傾いた方向に形成されているが，ローラ表面に付着した水滴を吸収するための溝部の方向は上記に限らず，ローラの回転軸に沿った方向であってもなんら差し支えない。
図７は，上記のようなローラ軸に平行な溝部３１が形成されたローラＲ１を示す斜視図である。但しこのようなローラ軸に平行な溝部３１を形成すると，押圧された相手のローラとの間で騒音を生じる可能性がある。このような騒音を低下させるためには，出来るだけ上記溝部３１の断面積が小さいほうがよい。また，単純に断面積だけでなく，溝部の幅Ｌも騒音に影響する。しかし，上記溝部３１の深さＨや幅Ｌを過小とすると，本来の目的とする水滴吸収の機能も低下する。
従って，上記水滴除去の機能と，騒音防止の効果を両立させることの出来る溝部３１の断面形状が得られれば，もっとも望ましい結果となる。
【表１】
0004845708.tif 000002
表１は，溝部３１の適切な深さＨ，幅Ｌの大きさを追求するために，これらの値を変化させたローラを作成し，その時の水滴除去機能及び騒音の程度を計測した結果を表す表である。なお，この表１に示した溝部形状の全ての範囲で，水滴の除去機能については問題がなく，用紙に水滴の筋が付くといった問題は発生しなかった。
この表１から明らかなように，ローラの外周面に形成される溝部は，その深さＨが０．１〜０．３ｍｍの範囲，及び幅Ｌが０．１〜０．３ｍｍの範囲の場合に，水滴の除去機能と，騒音防止の効果の両方が達成されることが理解される。
なお，表１から分かるように，幅が０．３５ｍｍ，或いは深さが０．３５の時にも騒音が低下するが，騒音は若干残り，上記０．１〜０．３の範囲と比べると問題であることが分かった。
なお，上記のようなローラ軸に平行な溝部３１を備えたローラについては，上記騒音の問題以外の点については特に問題が無いので，第１及び第２搬送ローラ対を構成する用紙送りローラ，ピンチローラの配置やレイアウトについては，上記ローラの円周方向に溝部を形成したローラと同様に扱うことが出来る。
例えば，第１及び第２搬送ローラ対で，これを構成する用紙送りローラを兼用することも，前記実施形態と同様に採用可能である。
【００３６】
その他本発明は，上記実施形態に限定されず，本発明の趣旨を逸脱しない範囲で種々の変更が可能である。例えば，第１及び第２搬送ローラ対を構成する用紙送りローラ，ピンチローラの配置やレイアウトについては，画像形成装置の仕様に応じて適宜設定される。また，各ローラの材質についても上述した以外の他の材質を用いることもできる。
また，上記実施形態では用紙搬送機構をレーザプリンタに搭載した場合についてのみ説明したが，デジタル複合機やタンデム式のカラー複写機，アナログ式のモノクロ複写機，或いはカラープリンタやファクシミリ等，両面印刷式の他のタイプの画像形成装置にも搭載できるのはもちろんである。
【産業上の利用可能性】
【００３７】
本発明は，定着部の下流側に配置される第１及び第２搬送ローラ対と，第１搬送ローラ対を通過した用紙を用紙排出部に搬送する第１搬送路と，該第１搬送路を逆送され第２搬送ローラ対を通過した用紙を画像形成部に再搬送する第２搬送路と，を備えた用紙搬送機構において，第２搬送ローラ対を構成する２本のローラが略水平に圧接されており，少なくとも一方のローラの外周面には周方向，或いは軸方向，更には軸方向に対して傾斜した螺旋状の溝部部が形成される。
【００３８】
これにより，低温条件下で両面印刷を行った場合でも，第２搬送ローラ対のニップ部に結露による水滴が溜まらないため，画像形成部へ再搬送される用紙が第２搬送ローラ対を通過する際の用紙先端への水滴の移行を効果的に抑制する用紙搬送機構を簡便且つ低コストで提供することができる。
【００３９】
また，第１搬送ローラ対及び第２搬送ローラ対の用紙送りローラを共用としたので，部品点数の削減及び用紙搬送機構の省スペース化にも寄与する。
【００４０】
また，第２搬送ローラ対を構成するローラの外周面を１周以上するように溝部を形成したので，第２搬送ローラ対のニップ部には常に隙間が形成されることとなり，水滴を速やかに解消可能となる。
【００４１】
また，本発明の用紙搬送機構を搭載することにより，結露により定着部下流側のローラ表面に発生した水滴を効果的に解消できるため，低温条件下で両面印刷を行った場合でも，２面目の画像形成時における画像流れや黒スジ等の画像不良の発生を防止可能な画像形成装置を簡易な構成で提供することができる。
更に，上記ローラ周面上に形成した溝部がローラ軸方向のものである場合には，溝部の形状として深さが０．３ｍｍ以内，幅が０．３ｍｍ以内の溝部を形成した場合には，上記水滴の除去の機能を維持したまま，騒音の発生を抑制することが出来る。
【図面の簡単な説明】
【００４２】
【図１】本発明の第１実施形態に係る用紙搬送装置が搭載された画像形成装置の全体構成を示す側面断面図。
【図２】第１実施形態の用紙搬送機構の概略断面図。
【図３】第１実施形態の用紙搬送機構に用いられる第２ピンチローラの構成を示す平面断面図及び側面図。
【図４】第１実施形態の用紙搬送機構に用いられる第２ピンチローラの他の構成例を示す平面断面図。
【図５】第１実施形態の用紙搬送機構に用いられる第２ピンチローラの他の構成例を示す平面図。
【図６】本発明の第２実施形態に係る用紙搬送機構の概略断面図。
【図７】本発明の第３実施形態に係るローラ軸方向の溝部を形成した用紙搬送用ローラの斜視図。
【符号の説明】
【００４３】
５…感光体ドラム
１５…転写ローラ
１６…定着部
１７…定着ローラ対
１７ａ…加熱ローラ
１７ｂ…加圧ローラ
１８…用紙送りローラ
１８ａ…第１用紙送りローラ
１８ｂ…第２用紙送りローラ
１９ａ…第１ピンチローラ
１９ｂ…第２ピンチローラ
２０…第１搬送ローラ対
２１…第２搬送ローラ対
２２…用紙搬送路（第１搬送路）
２６…両面記録路（第２搬送路）
２７…定着進入ガイド
３１…溝部
【図１】
0004845708.tif 000003
【図２】
0004845708.tif 000004
【図３】
0004845708.tif 000005
【図４】
0004845708.tif 000006
【図５】
0004845708.tif 000007
【図６】
0004845708.tif 000008
【図７】
0004845708.tif 000009